(57)【特許請求の範囲】
【請求項１】
基材に設けられた支持部と、
杆材における前記支持部と対向する側に設けられた回動部と、
軸線方向に延び、前記軸線回りに前記回動部を回動可能に支持するとともに、前記回動部と前記支持部とを連結する軸部と、
前記支持部に設けられた第一係合部と、
前記回動部に設けられ、前記軸部回り回動した第一位置において前記第一係合部と係合可能な第二係合部と、を備え、
前記支持部又は前記回動部は、対向する方向に弾性変形可能とされ、
前記支持部には、前記軸線方向に凹む収容部が形成され、
前記回動部は、前記軸線方向を中心線として周方向に沿って設けられ、前記収容部に収容されているとともに、前記周方向の一部が切り欠かれた円筒状をなし、
前記第一係合部は前記支持部から径方向内側に向かって突出するとともに、前記第二係合部は前記回動部から前記径方向外側に向かって突出することを特徴とする杆材の回動支持構造。
【請求項２】
前記支持部及び前記回動部には、それぞれ前記軸線方向に沿った挿通孔が形成され、
前記軸部は、前記基材に取り付けられるとともに、各前記挿通孔に挿通されていることを特徴とする請求項１に記載の杆材の回動支持構造。
【請求項３】
幅方向に離間して配置され、それぞれ車輪が設けられた左側本体及び右側本体、及び前記左側本体と前記右側本体とに架け渡された着座部、を有した車椅子に、物品を支持可能な支柱部を有する機器を連結するための車椅子用アタッチメントであって、
前記左側本体又は前記右側本体に設けられる基材と、
一端が前記基材に対して回動可能に設けられる杆材と、
前記杆材の他端に設けられ、前記支柱部に着脱可能に連結される連結部と、
杆材の回動支持構造と、を備え、
前記杆材の回動支持構造は、
前記基材に設けられた支持部と、
前記杆材における前記支持部と対向する側に設けられた回動部と、
軸線方向に延び、前記軸線回りに前記回動部を回動可能に支持するとともに、前記回動部と前記支持部とを連結する軸部と、
前記支持部に設けられた第一係合部と、
前記回動部に設けられ、前記軸部回り回動した第一位置において前記第一係合部と係合可能な第二係合部と、を備え、
前記支持部又は前記回動部は、対向する方向に弾性変形可能とされていることを特徴とする車椅子用アタッチメント。
【請求項４】
前記支持部には、前記軸線方向に凹む収容部が形成され、
前記回動部は、前記軸線方向を中心線として周方向に沿って設けられ、前記収容部に収容されるとともに、前記周方向の一部が切り欠かれた円筒状をなし、
前記第一係合部は前記支持部から径方向内側に向かって突出するとともに、前記第二係合部は前記回動部から前記径方向外側に向かって突出することを特徴とする請求項３に記載の車椅子用アタッチメント。
【請求項５】
前記杆材は、前記第一位置において、前記左側本体又は前記右側本体に近接するように配置されていることを特徴とする請求項３または４に記載の車椅子用アタッチメント。
【請求項６】
請求項３から５のいずれか一項に記載の車椅子用アタッチメントと、
幅方向に離間して配置され、それぞれ車輪が設けられた左側本体及び右側本体、及び前記左側本体と前記右側本体とに架け渡された着座部、を有した車椅子と、
前記車椅子用アタッチメントにより前記車椅子に連結される機器と、を備え、
前記杆材は、前記第一位置において、前記左側本体又は前記右側本体に近接して配置されていることを特徴とする医療設備システム。
【発明の詳細な説明】
【技術分野】
【０００１】
本発明は、杆材の回動支持構造、車椅子用アタッチメント及び医療設備システムに関するものである。
【背景技術】
【０００２】
従来から、病院、介護施設や自宅等においては、傷病者に、輸液を注射針で投与する点滴治療が行われることがある。この場合には、一般的に、床面から上方に延びる支柱と、支柱に設けられ輸液が充てんされた輸液パックを係合可能な係合部とを有する点滴スタンドに、輸液パックを係合して点滴治療が行われる。
【０００３】
このような点滴スタンドの下部に、キャスタが設けられているものもある（下記特許文献１，２参照）。これにより、点滴スタンドは移動可能とされるため、傷病者は点滴をしながら移動することができるとともに、点滴スタンドの不使用時に点滴スタンドを収納場所等に移動させることができる。
【０００４】
一方、傷病者を着座させたまま移動させる移動手段として車椅子が広く利用されている。また、車椅子に着座する患者に点滴治療を行うために、車椅子の前部に点滴スタンドを連結するロッド等の連結部材が知られている（下記特許文献３，４参照）。
【先行技術文献】
【特許文献】
【０００５】
【特許文献１】特開２０１２−１０７１８号公報
【特許文献２】特開２０１３−１７６５３号公報
【特許文献３】特開２０１３−３４６３０号公報
【特許文献４】特開２００９‐１４２４０７号公報
【発明の概要】
【発明が解決しようとする課題】
【０００６】
ここで、車椅子と点滴スタンドを連結する杆材は、不使用時には邪魔にならないように所定の方向に向けて収容することが望まれている。
また、使用位置と不使用位置との間で杆材を回動させる構成の場合には、回動する杆材と他の部材との接触により部材同士が摩耗し、耐久性が劣ってしまう可能性がある。
【０００７】
本発明は、上記事情に鑑みてなされたものであり、杆材を所定の位置で位置決めできるとともに、耐久性が高い杆材の回動支持構造、車椅子用アタッチメント及び医療設備システムを提供するものである。
【課題を解決するための手段】
【０００８】
上記目的を達成するために、本発明は以下の手段を採用している。
すなわち、本発明に係る杆材の回動支持構造は、基材に設けられた支持部と、杆材における前記支持部と対向する側に設けられた回動部と、軸線方向に延び、前記軸線回りに前記回動部を回動可能に支持するとともに、前記回動部と前記支持部とを連結する軸部と、前記支持部に設けられた第一係合部と、前記回動部に設けられ、前記軸部回り回動した第一位置において前記第一係合部と係合可能な第二係合部と、を備え、前記支持部又は前記回動部は、対向する方向に弾性変形可能とされ、前記支持部には、前記軸線方向に凹む収容部が形成され、前記回動部は、前記軸線方向を中心線として周方向に沿って設けられ、前記収容部に収容されているとともに、前記周方向の一部が切り欠かれた円筒状をなし、前記第一係合部は前記支持部から径方向内側に向かって突出するとともに、前記第二係合部は前記回動部から前記径方向外側に向かって突出することを特徴とする。
【０００９】
このように構成された杆材の回動支持構造では、回動部が回動した第一位置において、支持部に設けられた第一係合部と、回動部に設けられた第二係合部とが係合する。よって、回動部が設けられた杆材は、第一位置に位置決めされる。
また、回動部又は回動部と対向する支持部は、対向する方向に弾性変形可能である。よって、回動部が設けられた杆材が回動する際において、回動部又は支持部が対向する方向に弾性変形して、両者の間に生じる摩耗を低減することができるため、耐久性を高めることができる。
また、支持部の第一係合部と回動部の第二係合部とが係合する際には、支持部又は回動部が対向する方向に弾性変形するため、例えば支持部及び回動部が互いに剛性材料で構成された場合よりも係合量を大きくすることができる。よって、回動部の第一位置からの位置ずれを抑制することができる。
また、回動部は、支持部の軸線方向に凹む収容部に収容されるため、全体として軸線方向の厚みを抑えたコンパクトな構成とすることができる。また、軸線に直交する方向に沿って、中心から順に配置された軸部、回動部及び支持部が、軸部を介して杆材を支持するため、安定的に杆材を支持することができる。
また、支持部から径方向内側に向かって突出する第一係合部と回動部から径方向外側に向かって突出する第二係合部とが係合する直前において、周方向の一部が切り欠かれて円筒状をなす回動部は、径方向内側に弾性変形する。よって、第一係合部と第二係合部との係合の際に、大きな力を要することなく、互いを容易に係合させることができる。
【００１０】
また、本発明に係る杆材の回動支持構造は、前記支持部及び前記回動部には、それぞれ前記軸線方向に沿った挿通孔が形成され、前記軸部は、前記基材に取り付けられるとともに、各前記挿通孔に挿通されていることが好ましい。
【００１１】
このように構成された杆材の回動支持構造では、軸部が支持部及び回動部に形成された挿通孔に挿通されているため、支持部及び回動部の内部に軸部を配置することができ、全体としてコンパクトな構造とすることができる。
【００２０】
また、本発明に係る車椅子用アタッチメントは、幅方向に離間して配置され、それぞれ車輪が設けられた左側本体及び右側本体、及び前記左側本体と前記右側本体とに架け渡された着座部、を有した車椅子に、物品を支持可能な支柱部を有する機器を連結するための車椅子用アタッチメントであって、前記左側本体又は前記右側本体に設けられる基材と、一端が前記基材に対して回動可能に設けられる杆材と、前記杆材の他端に設けられ、前記支柱部に着脱可能に連結される連結部と、杆材の回動支持構造と、を備え、前記杆材の回動支持構造は、前記基材に設けられた支持部と、前記杆材における前記支持部と対向する側に設けられた回動部と、軸線方向に延び、前記軸線回りに前記回動部を回動可能に支持するとともに、前記回動部と前記支持部とを連結する軸部と、前記支持部に設けられた第一係合部と、前記回動部に設けられ、前記軸部回り回動した第一位置において前記第一係合部と係合可能な第二係合部と、を備え、前記支持部又は前記回動部は、対向する方向に弾性変形可能とされていることを特徴とする。
また、本発明に係る車椅子用アタッチメントは、前記支持部には、前記軸線方向に凹む収容部が形成され、前記回動部は、前記軸線方向を中心線として周方向に沿って設けられ、前記収容部に収容されるとともに、前記周方向の一部が切り欠かれた円筒状をなし、前記第一係合部は前記支持部から径方向内側に向かって突出するとともに、前記第二係合部は前記回動部から前記径方向外側に向かって突出していてもよい。
【００２１】
このように構成された車椅子用アタッチメントでは、回動部が回動した第一位置において、支持部に設けられた第一係合部と、回動部に設けられた第二係合部とが係合する。よって、回動部が設けられた杆材は、第一位置に位置決めされる。
また、回動部又は回動部と対向する支持部は、対向する方向に弾性変形可能である。よって、回動部が設けられた杆材が回動する際において、回動部又は支持部が対向する方向に弾性変形して、両者の間に生じる摩耗を低減することができるため、耐久性を高めることができる。
また、支持部の第一係合部と回動部の第二係合部とが係合する際には、支持部又は回動部が対向する方向に弾性変形するため、例えば支持部及び回動部が互いに剛性材料で構成された場合よりも係合量を大きくすることができる。よって、回動部の第一位置からの位置ずれを抑制することができる。
【００２２】
また、本発明に係る車椅子用アタッチメントは、前記杆材は、前記第一位置において、前記左側本体又は前記右側本体に近接するように配置されていることが好ましい。
【００２３】
このように構成された車椅子用アタッチメントでは、回動部が左側本体又は右側本体に近接するように配置された第一位置において、第一係合部と第二係合部とが係合する。よって、例えば車椅子用アタッチメントを使用しない際には、杆材を、左側本体又は右側本体に近接する第一位置に位置決めして収容することができる。
【００２４】
また、本発明に係る医療設備システムは、上記のいずれか一に記載の車椅子用アタッチメントと、幅方向に離間して配置され、それぞれ車輪が設けられた左側本体及び右側本体、及び前記左側本体と前記右側本体とに架け渡された着座部、を有した車椅子と、前記車椅子用アタッチメントにより前記車椅子に連結される機器と、を備え、前記杆材は、前記第一位置において、前記左側本体又は前記右側本体に近接して配置されていることを特徴とする。
【００２５】
このように構成された医療設備システムでは、回動部が回動して杆材が左側本体又は右側本体に近接して配置された第一位置において、支持部に設けられた第一係合部と、回動部に設けられた第二係合部とが係合する。よって、例えば車椅子用アタッチメントを使用しない際には、回動部が設けられた杆材を、左側本体又は右側本体に近接する第一位置に位置決めして収容することができる。
また、杆材に設けられた回動部または回動部の第二係合部と係合する第一係合部が設けられた支持部のいずれか一方は、対向する方向に弾性変形可能である。よって、回動部が設けられた杆材の回転による摩耗を低減することができるため、耐久性を高めることができる。
また、支持部の第一係合部と回動部の第二係合部とが係合する際には、支持部又は回動部が対向する方向に弾性変形するため、例えば支持部及び回動部が互いに剛性材料で構成された場合よりも係合量を大きくすることができるため、第一位置からの位置ずれを抑制することができる。
【発明の効果】
【００２６】
本発明に係る杆材の回動支持構造、車椅子用アタッチメント及び医療設備システムによれば、杆材を所定の位置で位置決めできるとともに、耐久性を高くすることができる。
【図面の簡単な説明】
【００２７】
【図１】本発明の一実施形態に係る医療設備システムを後方から見た斜視図である。
【図２】本発明の一実施形態に係る医療設備システムの構成を示す平面図である。
【図３】本発明の一実施形態に係る医療設備システムの車椅子用アタッチメントを示す後面図である。
【図４】本発明の一実施形態に係る医療設備システムの車椅子用アタッチメントを示す平面図である。
【図５】本発明の一実施形態に係る医療設備システムの車椅子用アタッチメントを後方から見た斜視図である。
【図６】本発明の一実施形態に係る医療設備システムの杆材支持構造を説明する分解斜視図である。
【図７】図３のＡ−Ａ断面図である。
【図８】本発明の一実施形態に係る医療設備システムの車椅子用アタッチメントの分解斜視図である。
【図９】本発明の一実施形態に係る医療設備システムの車椅子用アタッチメントの前部保持部の後面図である。
【図１０】本発明の一実施形態に係る医療設備システムの車椅子用アタッチメントの後部保持部の前面図である。
【図１１】本発明の一実施形態に係る医療設備システムの車椅子が床段差を乗り上げる際において、車椅子用アタッチメントの動作を示すための側面図である。
【図１２】本発明の一実施形態の変形例に係る回動部の斜視図である。
【発明を実施するための形態】
【００２８】
以下、本発明の実施形態に係る医療設備システムについて説明する。
図１は、本発明の一実施形態に係る医療設備システムを後方から見た斜視図である。
図１に示すように、本実施形態の医療設備システム１は、患者が着座可能な車椅子２と、点滴液の充填された輸液パック（物品）Ｕを吊り下げて移動可能な点滴スタンド（機器）３と、車椅子２と点滴スタンド３とを連結するアタッチメント（車椅子用アタッチメント）１０００と、を備えている。
なお、以下の説明では、患者が車椅子２に対して乗り降りする側を前方とし、車椅子２に対して点滴スタンド３が設けられている側と後方とする。また、前方と後方とを結ぶ前後方向と直交し、車椅子２の幅方向に延びる方向を左右方向とする。
【００２９】
（車椅子）
車椅子２は、前側に設けられ床面上を走行可能な前車輪（車輪）２１と、後側に設けられ床面上を走行可能な後車輪（車輪）２２と、これら前車輪２１及び後車輪２２が設けられ幅方向に離間して配置されたフレーム３０と、を有している。
【００３０】
フレーム３０は、前後方向に延びるとともに車椅子２の幅方向に離間して配置された一対のティッピングレバー３１と、ティッピングレバー３１の後側から上方に向かって延びる起立フレーム部３２と、起立フレーム部３２の上端から後方に向かって屈曲したハンドグリップ３３と、を有している。
【００３１】
図２は、医療設備システム１の構成を示す平面図である。
図２に示すように、ハンドグリップ３３は、平面視において、後車輪２２，２２の左右方向内側、且つティッピングレバー３１の直上に配置されている。
【００３２】
図１，２に示すように、起立フレーム部３２及びハンドグリップ３３は、一体に形成されている。ハンドグリップ３３には、樹脂等で形成され把持可能なグリップ部３３Ａが設けられている。
【００３３】
ティッピングレバー３１の前部には、下方に向かって延びる連結杆３１Ｘが設けられている。この連結杆３１Ｘは、ティッピングレバー３１と前車輪２１とを連結している。
【００３４】
起立フレーム部３２の下部には、幅方向外側に向かって延びる連結杆３２Ｘが設けられている。この連結杆３２Ｘは、起立フレーム部３２と後車輪２２とを連結している。
【００３５】
さらに、フレーム３０は、起立フレーム部３２の上下方向途中部分から前方に向かって延びるとともに車椅子２の幅方向に離間して配置された一対の座フレーム部３４と、各座フレーム部３４の前端から下方に向かって延びる脚フレーム部３５と、を有している。脚フレーム部３５の下部は、ティッピングレバー３１の前端に連結されている。
【００３６】
さらに、フレーム３０は、脚フレーム部３５の下端から前方に向かって延びる延出フレーム部３６を有している。フレーム３０の座フレーム部３４、脚フレーム部３５及び延出フレーム部３６は、一体に形成されている。
【００３７】
また、一対の起立フレーム部３２間には、シート状の背面シート３２Ａが設けられている。一対の座フレーム部３４間には、シート状の座シート３４Ａが設けられている。延出フレーム部３６には、左右方向に対向する他の延出フレーム部３６に向かって延びる板状のフットレスト３６Ａが設けられている。
これにより、背面シート３２Ａが座シート３４Ａに着座する患者の背を支持するとともに、フットレスト３６Ａは患者の足の裏を支持する。
これら背面シート３２Ａと、座シート３４Ａとは、着座部を構成している。
【００３８】
さらに、フレーム３０は、起立フレーム部３２の上下方向途中から前方に向かって延びるとともに車椅子２の幅方向に離間して配置された一対のアームレスト３７と、各アームレスト３７前端から下方に向かって延びる前フレーム部３８と、を有している。アームレスト３７は、座フレーム部３４よりも上方に配置されている。前フレーム部３８の上下方向途中部は、座フレーム部３４に連結されている。また、前フレーム部３８の下端は、ティッピングレバー３１の前部に連結されている。アームレスト３７及び前フレーム部３８は、一体に形成されている。
【００３９】
上記のフレーム３０において、幅方向一方側のティッピングレバー３１と、幅方向他方側の座フレーム部３４とは第一リンク杆４１にて連結されている。また、幅方向他方側のティッピングレバー３１と、幅方向一方側の座フレーム部３４とは第二リンク杆４２にて連結されている。これら第一リンク杆４１と第二リンク杆４２とは、長さ方向中央で、前後方向に沿うピン４３により、ピン４３を中心として回動可能に連結されている。
【００４０】
上記に示すフレーム３０において、左側に配置されたティッピングレバー３１と、起立フレーム部３２と、座フレーム部３４と、脚フレーム部３５と、延出フレーム部３６と、アームレスト３７と、前フレーム部３８とが、左側本体を構成している。同様に、右側に配置されたティッピングレバー３１と、起立フレーム部３２と、座フレーム部３４と、脚フレーム部３５と、延出フレーム部３６と、アームレスト３７と、前フレーム部３８とが、右側本体を構成している。
【００４１】
（点滴スタンド）
点滴スタンド３は、床面上を走行可能な脚ブロック９０と、脚ブロック９０に支持されて上方に延びる支柱部９４と、支柱部９４の上端に設けられ、輸液パックＵを吊り下げ支持する吊り下げ具９９と、を有している。
【００４２】
脚ブロック９０は、支柱部９４の下端を支持するボス部９０Ａの外周側から放射線状に延びる５本の脚フレーム９１を有している。各脚フレーム９１の先端には、キャスタ９２が取り付けられている。これにより、脚ブロック９０は、キャスタ９２を介して床面上を移動可能とされている。
【００４３】
支柱部９４は、下端が脚ブロック９０に取り付けられた中空状のアウタ支柱９４Ａと、上端に輸液吊り下げ具９９が取り付けられた中空状のインナ支柱９４Ｂと、を有している。インナ支柱９４Ｂの下部は、アウタ支柱９４Ａの上部に摺動自在に嵌入されている。
【００４４】
アウタ支柱９４Ａには、荷掛けフットアタッチメント９６及びハンドルアタッチメント９７が昇降調整可能に設けられている。
【００４５】
（アタッチメント）
図３は、医療設備システム１のアタッチメント１０００を示す後面図である。図４は、医療設備システム１のアタッチメント１０００を示す平面図である。図５は、医療設備システム１のアタッチメント１０００を後方から見た斜視図である。
図３から図５に示すように、アタッチメント１０００は、車椅子２に取り付けられる取付体（基材）１１００と、取付体１１００から延びる連結パイプ（杆材）１３００と、連結パイプ１３００の先端に設けられた点滴スタンドクランプ（連結部）１４００と、点滴スタンド３をガイドするガイドフレーム１５００と、を有している。
【００４６】
（取付体）
取付体１１００は、ティッピングレバー３１の一方の側部に沿って配置される側壁部１１０１と、側壁部１１０１の上端部から湾曲しティッピングレバー３１の上部に沿って配置される上壁部１１０２と、上壁部１１０２の前部において湾曲しティッピングレバー３１の他方の側部に沿って配置される側壁部１１０３と、を有している。さらに、取付体１１００は、側壁部１１０１の後端部及び上壁部１１０２の後端部から折曲された後壁部１１０４と、上壁部１１０２の前端部から折曲された前壁部１１０５とを有している。本実施形態では、取付体１１００は鋼材により形成されている。
【００４７】
後壁部１１０４には、下端部から上方に向かって凹む凹部１１０４Ａが設けられている。上壁部１１０２の下部には、ティッピングレバー３１が配置されている。換言すると、凹部１１０４Ａ内から、側壁部１１０１、上壁部１１０２及び側壁部１１０３により囲まれた空間にわたって、ティッピングレバー３１が配置されている。
【００４８】
側壁部１１０１には、正面視Ｖ字状に形成された押さえプレート１１１１が設けられている。押さえプレート１１１１は、取付体１１００の上壁部１１０２に平行に配置される取付板部１１１１Ａ，１１１１Ｂと、取付板部１１１１Ａ，１１１１Ｂ同士を連結しＶ字状に形成された傾斜板部１１１１Ｃと、を一体に有している。
【００４９】
取付板部１１１１Ａは、取付体１１００の側壁部１１０１に形成された孔（不図示）に係合されている。
【００５０】
取付体１１００の上壁部１１０２には、上下方向に貫通する取付孔１１０２Ｘが形成されている。この取付孔１１０２Ｘから挿通された螺子１１０２Ｙは押さえプレート１１１１の取付板部１１１１Ｂに形成された貫通孔（不図示）に挿通されて、取付板部１１１１Ｂの下部に設けられたナット１１１１Ｍに螺合されている。これにより、押さえプレート１１１１は上方に引き寄せられて、ティッピングレバー３１は凹部１１０４Ａと、押さえプレート１１１１の傾斜板部１１１Ｃとにより挟持されている。このようにして、アタッチメント１０００の取付体１１００は、ティッピングレバー３１に取り付けられている。
【００５１】
また、取付体１１００の上壁部１１０２の前端部には、上方に向かって立設された立設壁部１１２１が設けられている。立設壁部１１２１の両側部には、前方に向かって折曲された折曲壁部１１２２，１１２３と、一方の折曲壁部１１２３から側方に延びる取付壁部１１２４と、を有している。
【００５２】
一方の折曲壁部１１２２には、平面視逆Ｖ字状に形成された押さえプレート１１２５が設けられている。押さえプレート１１２５は、取付体１１００の立設壁部１１２１に平行に配置される取付板部１１２５Ａ，１１２５Ｂと、取付板部１１２５Ａ，１１２５Ｂ同士を連結しＶ字状に形成された傾斜板部１１２５Ｃと、を一体に有している。
【００５３】
取付壁部１１２４には、前後方向に貫通する取付孔１１２４Ｘが形成されている。この取付孔１１２４Ｘから挿通された螺子１１２４Ｙは押さえプレート１１２５に形成された貫通孔（不図示）に挿通されて、押さえプレート１１２５の前部に設けられたナット１１２５Ｍに螺合されている。これにより、押さえプレート１１２５は後方に引き寄せられて、起立フレーム部３２は取付体１１００の立設壁部１１２１と、折曲壁部１１２２，１１２３と、押さえプレート１１２５とにより挟持されている。このようにして、アタッチメント１０００の取付体１１００は、起立フレーム部３２に取り付けられている。
【００５４】
また、取付体１１００の上壁部１１０２の後部には、前後方向に離間して側方に延出する一対の延出壁部１１０２Ａ，１１０２Ａが設けられている。各延出壁部１１０２Ａの端部には、湾曲して下方に向かって延びる軸支持壁部１１３１が設けられている。つまり、前側の軸支持壁部１１３１は前壁部１１０５と直交して設けられ、後側の軸支持壁部１１３１は後壁部１１０４と直交して設けられている。前壁部１１０５の下端と後壁部１１０４の下端とは、底壁部１１３２により連結されている。
【００５５】
図３に示すように、取付体１１００の上壁部１１０２の下部には、下方に向かって延びる下向き壁部１１３６が設けられている。下向き壁部１１３６の下端部には、取付体１１００の幅方向（左右方向）中心側に向かうにしたがって次第に下方に向かうように傾斜する傾斜係止壁部１１３７が設けられている。
【００５６】
上記の取付体１１００の軸支持壁部１１３１，１１３１及び底壁部１１３２とで囲まれた空間内には、一対の回転金具（支持部）１１４０，１１４０が設けられている。
【００５７】
各支持金具１１４０は、それぞれ軸支持壁部１１３１の面方向に沿って配置されている。
ここでは、後側の軸支持壁部１１３１に沿って配置された支持金具１１４０について説明する。前側の軸支持壁部１１３１に沿って配置された支持金具１１４０は、後側の軸支持壁部１１３１に沿って配置された支持金具１１４０と、前後方向に直交する鉛直面を中心として対称に形成されているため、説明を省略する。
なお、一の支持金具１１４０の後述する軸挿通孔１１５１Ｘの中心と、他の支持金具１１４０の後述する軸挿通孔１１５１Ｘの中心とを結ぶ線が、軸線Ｏとされている。
【００５８】
図６は、医療設備システム１の杆材支持構造を説明する分解斜視図である。
図６に示すように、支持金具１１４０は、取付体１１００の底壁部１１３２に沿って配置される底壁部１１４１と、底壁部１１４１の両側部から立ち上がる側壁部１１４２，１１４３と、側壁部１１４２，１１４３の前部同士を連結する主面壁部１１４４と、側壁部１１４２，１１４３の後部同士を連結する後面壁部１１４７と、を有している。さらに、支持金具１１４０は、側壁部１１４２，１１４３の上部、主面壁部１１４４の上部及び後面壁部１１４７の上部を連結する上壁部１１４５を有している。これら、底壁部１１４１、側壁部１１４２，１１４３、主面壁部１１４４、後面壁部１１４７及び上壁部１１４５は、一体に形成されている。
【００５９】
底壁部１１４１の下面１１４１Ｂには、下方に向かって突出する一対の脚部１１４６，１１４６が左右方向に離間して設けられている。これら脚部１１４６，１１４６は、取付体１１００の底壁部１１３２に設けられた貫通孔（不図示）に嵌め込まれている。
【００６０】
側壁部１１４２の上部から上壁部１１４５の端部にわたる部分は、円弧状をなしている。
【００６１】
主面壁部１１４４には、後面壁部１１４７側に向かって凹む凹部（収容部）１１５０が形成されている。凹部１１５０は、正面視円弧状をなしている。
【００６２】
凹部１１５０の底部１１５１から後面壁部１１４７にわたって、前後方向に貫通する軸挿通孔（挿通孔）１１５１Ｘが形成されている。これら軸挿通孔１１５１Ｘの外周には、筒状に形成された孔側壁部１１５２が設けられている。
【００６３】
凹部１１５０において、底部１１５１の周囲から立ち上がる側壁部１１５４には、径方向内側に向かって突出する４個の外側突起部（第一係合部）１１６１，１１６２，１１６３，１１６４が設けられている。
【００６４】
外側突起部１１６１と外側突起部１１６２とは、わずかに離間して配置されている。外側突起部１１６１と外側突起部１１６３とは、軸挿通孔１１５１Ｘの中心を挟んで対称に配置されている。同様に、外側突起部１１６２と外側突起部１１６４とは、軸挿通孔１１５１Ｘの中心を挟んで対称に配置されている。
【００６５】
これら外側突起部１１６１，１１６２，１１６３，１１６４は、正面視において、軸挿通孔１１５１Ｘの中心に向かって膨らむ半円状をなしている。
【００６６】
主面壁部１１４４から側壁部１１４３にわたって、対向する支持金具１１４０側に膨出する膨出部１１５６が設けられている。
【００６７】
膨出部１１５６の上部において、内周面には、下方に向かうにしたがって次第に軸線Ｏに近接するように傾斜する第一係止壁部（第一当接面）１１５６Ａが設けられている。また、膨出部１１５６の下部において、内周面には、上方に向かうにしたがって次第に軸線Ｏに近接するように傾斜する第二係止壁部（第二当接面）１１５６Ｂが設けられている。
【００６８】
（連結パイプ）
一方、連結パイプ１３００は、取付体１１００側から延びる第一パイプ部１３１０と、第一パイプ部１３１０の他端から湾曲した湾曲パイプ部１３２０と、湾曲パイプ部１３２０から第一パイプ部１３１０と直交する方向に延びる第二パイプ部１３３０と、を有している。第一パイプ部１３１０、湾曲パイプ部１３２０及び第二パイプ部１３３０は、一体に管状をなすように形成されている。
【００６９】
連結パイプ１３００の第一パイプ部１３１０は、軸線Ｏと直交する向きに配置されている。連結パイプ１３００の第一パイプ部１３１０の端部側において、前側の壁部及び後側の壁部には、それぞれ軸線Ｏに沿って貫通する軸挿通孔１３１０Ｘが形成されている。
【００７０】
また、連結パイプ１３００の第一パイプ部１３１０の端部側において、前側及び後側には、軸挿通孔１３１０Ｘを挟んで一方側及び他方側に、それぞれ貫通孔１３１１，１３１２が形成されている。貫通孔１３１１，１３１２は、正面視において、幅広の略矩形状をなしている。
【００７１】
第一パイプ部１３１０の前側及び後側の貫通孔１３１１，１３１２には、押さえ樹脂部材（回動部）１３４０が設けられている。
ここでは、後側の貫通孔１３１１，１３１２に設けられる押さえ樹脂部材１３４０について説明する。前側の貫通孔１３１１，１３１２に設けられる押さえ樹脂部材１３４０は、後側の貫通孔１３１１，１３１２に設けられる押さえ樹脂部材１３４０と、前後方向に直交する鉛直面を中心として対称に形成されているため、説明を省略する。
【００７２】
押さえ樹脂部材１３４０は、弾性変形可能な材料により構成されている。本実施形態では、押さえ樹脂部材１３４０は、ポリアミド６等樹脂により形成されている。
【００７３】
押さえ樹脂部材１３４０は、軸線Ｏを中心線として周方向に沿って設けられるとともに、周方向の一部が切り欠かれた円筒状をなしている。押さえ樹脂部材１３４０は、正面視環状の一部が切り欠かれたＣ字状をなすＣ型押さえ部１３４１を有している。Ｃ型押さえ部１３４１の前面１３４１Ｆは、第一パイプ部１３１０の外周面と対向した形状をなしている。
【００７４】
Ｃ型押さえ部１３４１の前面１３４１Ｆにおいて、両端部には、それぞれ前方に向かって突出する突起片１３４２が設けられている。つまり、突起片１３４２，１３４２同士は、周方向に離間して配置されている。これら突起片１３４２，１３４２は、第一パイプ部１３１０の貫通孔１３１２に嵌め込まれている。
【００７５】
Ｃ型押さえ部１３４１の前面１３４１Ｆにおいて、突起片１３４２，１３４２間の中心と軸線Ｏを挟んで対称位置には、前方に向かって突出する嵌合突起片１３４４が設けられている。嵌合突起片１３４４は、正面視において、幅広の略矩形状をなしている。この嵌合突起片１３４４は、第一パイプ部１３１０の貫通孔１３１１に嵌め込まれている。
【００７６】
Ｃ型押さえ部１３４１の外周面１３４１Ｇには、径方向外側に向かって膨らむ半円状をなす内側突起部（第二係合部）１３５１，１３５２が設けられている。内側突起部１３５１と内側突起部１３５２とは、軸線Ｏを挟んで対称に配置されている。
【００７７】
Ｃ型押さえ部１３４１の後面１３４１Ｂには、後方に向かって突出する３個の支持突起部１３４９が、周方向に離間して設けられている。
【００７８】
上記のように連結パイプ１３００の貫通孔１３１１，１３１２には、それぞれ押さえ樹脂部材１３４０の嵌合突起片１３４４及び突起片１３４２，１３４２が嵌め込まれている。この押さえ樹脂部材１３４０は、支持金具１１４０の凹部１１５０に配置され、押さえ樹脂部材１３４０の支持突起部１３４９が凹部１１５０の底部１１５１に当接している。
【００７９】
そして、取付体１１００の一方の軸支持壁部１１３１に形成された孔部１１３１Ｘから挿通された軸部１１３１Ｚが、一方の支持金具１１４０の軸挿通孔１１５１Ｘ、一方の押さえ樹脂部材１３４０の内部（挿通孔）、連結パイプ１３００の両側の軸挿通孔１３１０Ｘ，１３１０Ｘ、他方の押さえ樹脂部材１３４０の内部及び他方の支持金具１１４０の軸挿通孔１１５１Ｘに挿通され、他方の軸支持壁部１１３１に形成された雌ネジ部（不図示）に螺合されている。これにより、支持金具１１４０の側壁部１１５４と押さえ樹脂部材１３４０の外周面１３４１Ｇとは、径方向に対向配置されている。また、連結パイプ１３００及び連結パイプ１３００と一体となった押さえ樹脂部材１３４０は、軸部１１３１Ｚ（軸線Ｏ）を中心に回動可能とされている。
【００８０】
この連結パイプ１３００は、図５に実線（図３に二点鎖線）で示すように、第二パイプ部１３３０が左側の後車輪２２（図２参照。以下同じ。）に沿う位置まで回動した状態（第一位置）では、押さえ樹脂部材１３４０の内側突起部１３５１は支持金具１１４０の外側突起部１１６１と外側突起部１１６２との間で係合されるとともに、押さえ樹脂部材１３４０の内側突起部１３５２は支持金具１１４０の外側突起部１１６３と外側突起部１１６４との間で係合されている。これにより、連結パイプ１３００は、第一位置に位置決めされ、左側の後車輪２２に近接した位置が維持される。
また、図３に示すように、連結パイプ１３００の側面は、支持金具１１４０の膨出部１１５６の第一係止壁部１１５６Ａに当接している。これにより、連結パイプ１３００が左側の後車輪２２にさらに近接する方向へ回動することが、規制されている。
【００８１】
そして、連結パイプ１３００を、軸部１１３１Ｚを中心に左側の後車輪２２から離間する方向に回動させると、押さえ樹脂部材１３４０の内側突起部１３５１，１３５２は、それぞれ支持金具１１４０の外側突起部１１６１，１１６３を乗り越えようとする。この際に、押さえ樹脂部材１３４０は、支持金具１１４０の外側突起部１１６１，１１６３から径方向内側向きの力を受けるため、弾性変形可能なＣ型押さえ部１３４１は、その両端部同士を近接させるように変形する。換言すると、連結パイプ１３００の貫通孔１３１２内に嵌められた押さえ樹脂部材１３４０の突起片１３４２，１３４２同士は互いに近接し、押さえ樹脂部材１３４０は径方向（対向する方向）内側に弾性変形する。そして、押さえ樹脂部材１３４０の内側突起部１３５１及び１３５２は、それぞれ支持金具１１４０の外側突起部１１６１，１１６３を乗り越える。
【００８２】
そして、連結パイプ１３００の側面が、図５に二点鎖線（図３に実線）で示すように、第二パイプ部１３３０が左右の後車輪２２，２２の間に配置された状態にまで回動可能とされている。図３に示すように、連結パイプ１３００の側面が支持金具１１４０の膨出部１１５６の第二係止壁部１１５６Ｂ及び取付体１１００の傾斜係止壁部１１３７と当接する第二位置に達すると、回動が停止する。
【００８３】
（点滴スタンドクランプ）
図７は、図３のＡ−Ａ断面図である。図８は、医療設備システム１の点滴スタンドクランプ１４００の分解斜視図である。図９は、医療設備システム１の点滴スタンドクランプ１４００の前部保持部の後面図である。図１０は、医療設備システム１の点滴スタンドクランプ１４００の後部保持部の前面図である。
図７から図１０に示すように、第二パイプ部１３３０（図５参照。以下同じ。）の端部には、点滴スタンドクランプ１４００が設けられている。点滴スタンドクランプ１４００は、第二パイプ部１３３０に設けられた前部クランプ金具１４１０と、前部クランプ金具１４１０に対して回動可能に設けられた後部クランプ金具１４２０と、を有している。
【００８４】
前部クランプ金具１４１０は、支柱部９４（図２参照。以下同じ。）の前部に沿って配置され、平面視において前方に向かって凹むように湾曲形状をなす前部湾曲壁部１４１１を有している。
【００８５】
前部湾曲壁部１４１１の一方の側部には、側方に向かって突出する前部軸支持壁部１４１２が形成されている。
【００８６】
前部軸支持壁部１４１２には、前後方向に貫通する挿通孔１４１２Ｘが形成されている。挿通孔１４１２Ｘは、正面視円形状に形成されている。また、挿通孔１４１２Ｘの縁には、径方向外側に向かって凹む係合溝１４１２Ｙが一体として形成されている。
【００８７】
前部軸支持壁部１４１２において、挿通孔１４１２Ｘの外周側には前方に向かって凹む凹部１４１３が形成されている。
【００８８】
凹部１４１３は、正面視環状に設けられた内側凹部１４１３Ａと、内側凹部１４１３Ａの外側に連続して設けられて外側凹部１４１３Ｂとで形成されている。
【００８９】
外側凹部１４１３Ｂは、正面視Ｃ字状に形成されている。外側凹部１４１３Ｂの周方向一端側が凹部壁１４１３Ｐとされ、外側凹部１４１３Ｂの周方向他端側が凹部壁１４１３Ｑとされている。
【００９０】
前部湾曲壁部１４１１には、前後方向に貫通する取付孔１４１１Ｘが形成されている。
また、前部湾曲壁部１４１１の前部には、筒状に形成された筒状壁部１４１４が設けられている。筒状壁部１４１４の筒状孔１４１４Ｘと前部湾曲壁部１４１１の取付孔１４１１Ｘとは連通している。
【００９１】
筒状壁部１４１４の筒状孔１４１４Ｘ内には、第二パイプ部１３３０の端部が嵌合されている。前部湾曲壁部１４１１の取付孔１４１１Ｘから挿通されたネジ１４１１Ｚ（図４参照）が、筒状壁部１４１４に嵌合された第二パイプ部１３３０の端部に螺合されている。これにより、前部クランプ金具１４１０は、第二パイプ部１３３０の端部に取り付けられている。
【００９２】
前部湾曲壁部１４１１の他方の側部において、後面１４１１Ｂには、後方に向かって延出するとともに、先端部が前部湾曲壁部１４１１の一方の側部に向かって折曲された係合爪部１４１６が設けられている。係合爪部１４１６は、後述する後部クランプ金具１４２０と係合可能とされている。
【００９３】
後部クランプ金具１４２０は、支柱部９４の後部に沿って配置される後部支持壁部１４２１を有している。
【００９４】
後部支持壁部１４２１の一方の側部には、側方に向かって突出する後部軸支持壁部１４２２が形成されている。
【００９５】
後部軸支持壁部１４２２には、前後方向に延びる軸線Ｘ（図８参照）に沿って配置される軸部１４３０が設けられている。
【００９６】
軸部１４３０の先端部１４３０Ｆの外周面には、径方向内側に向かって環状に凹む環状溝１４３１が形成されている。
【００９７】
後部軸支持壁部１４２２において、軸部１４３０の外縁には、後方に向かって凹み、管状に形成された環状凹部１４２３が形成されている。環状凹部１４２３には、周囲よりもさらに後方に向かって凹む係合溝１４２３Ｙが一体として形成されている。
【００９８】
後部軸支持壁部１４２２には、前方に向かって突出する突出壁部１４２４が形成されている。突出壁部１４２４は、正面視Ｃ字状に形成されている。突出壁部１４２４の周方向一端側が壁部１４２４Ｐとされ、突出壁部１４２４の周方向他端側が壁部１４２４Ｑとされている。
【００９９】
後部支持壁部１４２１の上部には、後方に向かって突出する操作壁部１４２１Ｓが設けられている。また、後部支持壁部１４２１の他方の側部の上部には、側方に向かって突出する係合壁部１４２１Ｔが形成されている。これら操作壁部１４２１Ｓ及び係合壁部１４２１Ｔは、一体に形成されている。
【０１００】
後部クランプ金具１４２０の軸部１４３０には、付勢部１４４０が設けられている。本実施形態では、付勢部１４４０は、コイルバネにより構成され、軸部１４３０に巻回されている。付勢部１４４０の一端部１４４０Ａ及び他端部１４４０Ｚは、それぞれ前後方向に延びる直線状に形成されている。
【０１０１】
付勢部１４４０が巻回された後部クランプ金具１４２０の軸部１４３０は、前部クランプ金具１４１０の挿通孔１４１２Ｘに挿通されている。
【０１０２】
付勢部１４４０の一端部１４４０Ａは、前部クランプ金具１４１０の係合溝１４１２Ｙに係合されている。また、付勢部１４４０の他端部１４４０Ｚは、後部クランプ金具１４２０の係合溝１４２３Ｙに係合されている。このようにして、付勢部１４４０は、前部クランプ金具１４１０及び後部クランプ金具１４２０に取り付けられている。
【０１０３】
後部クランプ金具１４２０の軸部１４３０の先端部１４３０Ｆは、前部クランプ金具１４１０の挿通孔１４１２Ｘから前方に突出している。軸部１４３０の先端部１４３０Ｆに形成された環状溝１４３１には、リング部材１４５０が嵌め込まれている。これにより、軸部１４３０の軸線Ｘ方向の移動が規制されるため、軸部１４３０が挿通孔１４１２Ｘから抜け出ることがない。
【０１０４】
本実施形態では、リング部材１４５０として、Ｅリングが採用されている。このリング部材１４５０には、内縁側から径方向外側に向かって凹む凹部１４５１が形成されている。これにより、リング部材１４５０を軸部１４３０の環状溝１４３１に嵌める際には、リング部材１４５０が広がりやすいため嵌めやすく、嵌った後はリング部材１４５０は元の形状に戻るため抜け落ちることがない。なお、リング部材の形状は適宜設定可能であり、凹部が形成されていなくてもよい。
【０１０５】
この状態において、後部クランプ金具１４２０の係合壁部１４２１Ｔは、前部クランプ金具１４１０の係合爪部１４１６の上部に設けられている。また、付勢部１４４０により、前部クランプ金具１４１０及び後部クランプ金具１４２０には、係合爪部１４１６と係合壁部１４２１Ｔとを当接させる方向に力が作用している。これにより、係合爪部１４１６と係合壁部１４２１Ｔとは係合（当接）している。また、後部クランプ金具１４２０の後部軸支持壁部１４２２に設けられた突出壁部１４２４の壁部１４２４Ｑは、前部クランプ金具１４１０の前部軸支持壁部１４１２に設けられた凹部１４１３の凹部壁１４１３Ｑに当接している。
【０１０６】
この点滴スタンドクランプ１４００において、看護師等の利用者が、後部クランプ金具１４２０の操作壁部１４２１Ｓを上方に引き上げると、軸部１４３０は挿通孔１４１２Ｘ内を回動するとともに、後部クランプ金具１４２０に設けられた突出壁部１４２４は前部クランプ金具１４１０に設けられた凹部１４１３内を凹部壁１４１３Ｐ側に向かって移動する。そして、後部クランプ金具１４２０の後部支持壁部１４２１は、軸線Ｘを中心に回動して上方に移動する。これにより、前部クランプ金具１４１０の係合爪部１４１６と後部クランプ金具１４２０の係合壁部１４２１Ｔとの係合が解除される。
【０１０７】
そして、前部クランプ金具１４１０の後方が開放されるため、後方から支柱部９４を前部クランプ金具１４１０の後部に移動させる。前部クランプ金具１４１０の前部湾曲壁部１４１１と後部クランプ金具１４２０の後部支持壁部１４２１との間には、空間部ＳＡ（図４参照）が形成されている。この空間部ＳＡに、支柱部９４が配置される。そして、後部クランプ金具１４２０の操作壁部１４２１Ｓから手を放すと、付勢部１４４０の付勢力により、後部クランプ金具１４２０は下方に移動する。
【０１０８】
この状態で、前部クランプ金具１４１０の前部湾曲壁部１４１１の後面１４１１Ｂと後部クランプ金具１４２０の後部支持壁部１４２１の前面１４２１Ｆとの離間距離は、支柱部９４の前後方向の長さよりも長い。よって、支柱部９４の前面は前部クランプ金具１４１０の前部湾曲壁部１４１１に当接するとともに、支柱部９４の後面と後部クランプ金具１４２０の後部支持壁部１４２１の前面１４２１Ｆとの間には空間部ＳＢが形成されつつ、支柱部９４は前部クランプ金具１４１０及び後部支持壁部１４２１により保持されている。
【０１０９】
なお、後部クランプ金具１４２０に設けられた突出壁部１４２４の壁部１４２４Ｐが、前部クランプ金具１４１０に設けられた凹部１４１３の凹部壁１４１３Ｐに当接すると、後部クランプ金具１４２０の回動は停止し、それ以上回動することがない。
【０１１０】
（ガイドフレーム）
次に、図３から図５に示すように、ガイドフレーム１５００は、取付体１１００の底壁部１１３２の下部から後方に延びる前後向きガイド部１５１０と、前後向きガイド部１５１０の後端から下方に延びる後鉛直ガイド部１５２０と、を備えている。
【０１１１】
さらに、ガイドフレーム１５００は、後鉛直ガイド部１５２０の下端から車椅子２の幅方向内側に向かうにしたがって次第に前方に向かうように延びる斜行ガイド部１５３０と、を備えている。
【０１１２】
さらに、ガイドフレーム１５００は、斜行ガイド部１５３０の前端から上方に延びる前鉛直ガイド部１５４０と、前鉛直ガイド部１５４０の上端から前方に延びて先端が底壁部１１３２の下部に取り付けられた内側ガイド部１５５０と、を有している。
【０１１３】
次に、上記のように構成された医療設備システム１における車椅子２と点滴スタンド３との連結方法について説明する。
【０１１４】
まず、連結パイプ１３００を、図５に実線で示すように、第二パイプ部１３３０が左側の後車輪２２（図２参照）に沿うように配置された状態から、軸部１１３１Ｚを中心として回動させて、第二パイプ部１３３０が左右の後車輪２２，２２の間に配置された状態にまで回動させる。
【０１１５】
そして、利用者は、点滴スタンド３の支柱部９４を持って、点滴スタンド３を車椅子２の後方から、左右一対の後車輪２２，２２間において前方に移動させる。
【０１１６】
ここで、一の脚フレーム９１Ａの前面９１Ｚがガイドフレーム１５００の後鉛直ガイド部１５２０に当接する場合には、後鉛直ガイド部１５２０を中心として、脚フレーム９１Ａの隣に配置され前方を向く脚フレーム９１Ｂが前方に移動するように、点滴スタンド３を回動させる。本実施形態では、後鉛直ガイド部１５２０を中心として、点滴スタンド３を平面視反時計回りに回動させる。
【０１１７】
すると、脚フレーム９１Ｂ及び脚フレーム９１Ｂに隣接する脚フレーム９１Ｃが一対の後車輪２２,２２間に配置されるように、点滴スタンド３を前方に移動させる。換言すると、支柱部９４を背面シート３２Ａの背面と左右のグリップ部３３Ａ，３３Ａとにより囲まれた後部空間Ｓ１（図２参照）内に配置する。そして、利用者が、点滴スタンドクランプ１４００の後部クランプ金具１４２０の操作壁部１４２１Ｓを上方に引き上げて回動させ、前部クランプ金具１４１０の後方から点滴スタンド３の支柱部９４を前部クランプ金具１４１０の後部に移動させる。そして、後部クランプ金具１４２０の操作壁部１４２１Ｓから手を放して、後部クランプ金具１４２０を下方に回動させる。このようにして、支柱部９４は前部クランプ金具１４１０及び後部支持壁部１４２１により保持され、点滴スタンド３はアタッチメント１０００を介して車椅子２に連結される。
【０１１８】
この状態で、脚フレーム９１Ｂの先端及び脚フレーム９１Ｃの先端が前方を向くように配置される。詳細には、脚フレーム９１Ｂの先端は、前方と左方との間を向いている。脚フレーム９１Ｃの先端は、前方と右方との間を向いている。脚フレーム９１Ｃに隣接する脚フレーム９１Ｄの先端は、後方と右方との間を向いている。脚フレーム９１Ｄに隣接する脚フレーム９１Ｅの先端は、後方を向いている。脚フレーム９１Ａの先端は、後方と左方との間を向いている。
【０１１９】
一方、利用者が、点滴スタンド３の支柱部９４を持って、点滴スタンド３を車椅子２の後方から、左右一対の後車輪２２，２２間において前方に移動させた際に、脚フレーム９１がガイドフレーム１５００に当接せずに、図２に二点波線で示すように、脚フレーム９１Ｂの先端及び脚フレーム９１Ｃの先端が前方を向くように配置されている場合には、点滴スタンド３をそのまま前方に移動させれば、連結位置に配置される。
【０１２０】
また、点滴スタンド３を車椅子２から取り外す際には、看護師等の利用者が、後部クランプ金具１４２０の操作壁部１４２１Ｓを上方に引き上げて、点滴スタンドクランプ１４００の支柱部９４を、前部クランプ金具１４１０と後部クランプ金具１４２０との間から取り出すことができる。
このようにして、アタッチメント１０００の点滴スタンドクランプ１４００は、支柱部９４に対して着脱可能に取り付けられている。
【０１２１】
次に、上記のように構成された医療設備システム１が床面上に設けられた進行方向前方の段差を乗り上げる際の動作について説明する。
【０１２２】
図１１は、医療設備システム１の車椅子２が床段差を乗り上げる際において、点滴スタンドクランプ１４００の動作を示すための側面図である。
図１１に示すように、車椅子２が段差を乗り上げる際には、ハンドグリップ３３又はティッピングレバー３１の後部に下方向きの力を加える。これにより、車椅子２の前側が持ち上がり、前車輪２１が段差を乗り上げるとともに、ティッピングレバー３１は後方から前方に向かうにしたがって上方に向かうように（前上がりに）傾斜する。
【０１２３】
ティッピングレバー３１が前上がりに傾斜すると、ティッピングレバー３１に連結されたアタッチメント１０００には前上がりに傾斜させる向きの力が作用する。これにより、アタッチメント１０００に保持された点滴スタンド３の支柱部９４には、前部クランプ金具１４１０の前部湾曲壁部１４１１から後向きの力が作用する。これにより、支柱部９４は空間部ＳＡ内において後方に移動する。点滴スタンドクランプ１４００は、支柱部９４に対して相対的に元の位置（図１１に示す実線）よりも後方且つ下方に移動する（図１１に示す二点鎖線）。このようにして、点滴スタンドクランプ１４００は、ティッピングレバー３１と支柱部９４との前後方向の傾斜角度を異ならせながら、支柱部９４を保持している。
【０１２４】
前車輪２１が段差を乗り上げ、後車輪２２及び点滴スタンド３が段差を乗り上げようとする際には、ティッピングレバー３１は後方が上方に上がる。この際に、アタッチメント１０００に保持された点滴スタンド３の支柱部９４は、空間部ＳＡ内において前方に移動して（図１１に示す実線）、後車輪２２及び点滴スタンド３が段差を乗り上げる。
【０１２５】
なお、床面上に設けられた段差の高さが高い場合には、車椅子２が段差を乗り上げる際には、点滴スタンド３の支柱部９４は、その前面が前部クランプ金具１４１０の前部湾曲壁部１４１１の後面１４１１Ｂ（図９参照）の上部に当接しつつ、その後面が後部クランプ金具１４２０の後部支持壁部１４２１（図１０参照）の下部に当接するように大きく傾斜する。後部クランプ金具１４２０には、当接している支柱部９４から上方向きの力（後部クランプ金具１４２０を持ち上げようとする力）が作用する。これにより、後部クランプ金具１４２０が回動して持ち上がり、支柱部９４が空間部ＳＡよりもさらに後方に移動することもできる。なお、後部クランプ金具１４２０の回動範囲が規制されているため、支柱部９４が後部クランプ金具１４２０から完全に抜け出ることはない。
【０１２６】
また、略水平に形成された床面から上り坂を上り出す際にも、点滴スタンドクランプ１４００は、上記に記載の段差を車椅子２の前車輪２１が乗り上げる際と同様の動きをする。
【０１２７】
一方、車椅子２が段差を降りる際には、上記とは逆に、ティッピングレバー３１が前下がりに傾斜し、アタッチメント１０００には前下がりに傾斜させる向きの力が作用する。
【０１２８】
このように構成された医療設備システム１では、第一位置において、押さえ樹脂部材１３４０の内側突起部１３５１は支持金具１１４０の外側突起部１１６１と外側突起部１１６２との間で係合されるとともに、押さえ樹脂部材１３４０の内側突起部１３５２は支持金具１１４０の外側突起部１１６３と外側突起部１１６４との間で係合されている。よって、車椅子２と点滴スタンド３とを連結しない場合には、アタッチメント１０００の連結パイプ１３００を、左側の後車輪２２に近接させた第一位置に位置決めして収容することができる。
【０１２９】
また、押さえ樹脂部材１３４０は、径方向内側に弾性変形可能である。よって、押さえ樹脂部材１３４０が設けられた連結パイプ１３００が回動する際において、押さえ樹脂部材１３４０が径方向内側に弾性変形して、押さえ樹脂部材１３４０と支持金具１１４０との部材の間に生じる摩耗を低減することができるため、耐久性を高めることができる。
【０１３０】
また、上記のように第一位置において、内側突起部１３５１，１３５２が、それぞれ外側突起部１１６１と外側突起部１１６２との間、外側突起部１１６３と外側突起部１１６４との間で係合する際には、押さえ樹脂部材１３４０が径方向内側に弾性変形するため、例えば支持金具及び押さえ樹脂部材に相当する部材が互いに剛性材料で構成された場合よりも係合量を大きくすることができる。よって、押さえ樹脂部材１３４０の第一位置からの位置ずれを抑制することができる。
【０１３１】
また、軸部１１３１Ｚが支持金具１１４０に形成された軸挿通孔１１５１Ｘ及び押さえ樹脂部材１３４０の内部に挿通されているため、支持金具１１４０及び押さえ樹脂部材１３４０の内部に軸部１１３１Ｚを配置することができ、全体としてコンパクトな構造とすることができる。
【０１３２】
また、押さえ樹脂部材１３４０は、支持金具１１４０の軸線Ｏ方向に凹む凹部１１５０に収容されるため、全体として軸線Ｏ方向の厚みを抑えたコンパクトな構成とすることができる。また、軸線Ｏに直交する方向に沿って、中心から順に配置された軸部１１３１Ｚ、押さえ樹脂部材１３４０及び支持金具１１４０が、軸部１１３１Ｚを介して連結パイプ１３００を支持するため、安定的に連結パイプ１３００を支持することができる。
【０１３３】
また、押さえ樹脂部材１３４０から径方向外側に向かって突出する内側突起部１３５１，１３５２が、それぞれ支持金具１１４０から径方向内側に向かって突出する外側突起部１１６１と外側突起部１１６２との間、外側突起部１１６３と外側突起部１１６４との間で係合する直前において、周方向の一部が切り欠かれて円筒状をなす押さえ樹脂部材１３４０は、径方向内側に弾性変形する。よって、外側突起部１１６１，１１６２，１１６３，１１６４と内側突起部１３５１，１３５２との係合の際に、大きな力を要することなく、互いを容易に係合させることができる。
【０１３４】
また、第一位置において、支持金具１１４０の第一係止壁部１１５６Ａと連結パイプ１３００の側面とは当接する。よって、押さえ樹脂部材１３４０の第一位置における位置決めをより確実にすることができる。
【０１３５】
また、第二位置において、支持金具１１４０の膨出部１１５６の第二係止壁部１１５６Ｂ及び取付体１１００の傾斜係止壁部１１３７と連結パイプ１３００の側面とは当接する。よって、押さえ樹脂部材１３４０の第二位置における位置決めをすることができる。
【０１３６】
（変形例）
次に、上記に示す実施形態の変形例について、主に図１２を用いて説明する。
図１２は、上記に示す実施形態の変形例に係る回動部の斜視図である。
なお、この変形例において、前述した実施形態で用いた部材と同一の部材には同一の符号を付して、その説明を省略する。
図１２に示すように、押さえ樹脂部材１３４０Ｘは、軸線Ｏに沿って環状に形成された環状部１３４１Ｘと、環状部１３４１Ｘから軸線Ｏ方向に沿って支持金具１１４０側に延出する延出片１３５１Ａ，１３５２Ａと、を有している。
【０１３７】
延出片１３５１Ａ，１３５２Ａは、環状部１３４１Ｘの周方向に離間して設けられている。延出片１３５１Ａ，１３５２Ａには、それぞれ径方向外側に向かって膨らむ半円状をなす内側突起部１３５１Ｘ，１３５２Ｘが設けられている。また、延出片１３５１Ａ，１３５２Ａの端面には、それぞれ軸線Ｏ方向に沿って突出する支持突起部１３４９Ｘが設けられている。
【０１３８】
このように構成された押さえ樹脂部材１３４０Ｘでは、押さえ樹脂部材１３４０Ｘの内側突起部１３５１Ｘ，１３５２Ｘと支持金具１１４０に設けられた外側突起部１１６１，１１６２，１１６３，１１６４とが係合する直前には、延出片１３５１Ａ，１３５２Ａを径方向内側に向かって弾性変形させることができる。
【０１３９】
なお、上述した実施の形態において示した各構成部材の諸形状や組み合わせ等は一例であって、本発明の主旨から逸脱しない範囲において設計要求等に基づき種々変更可能である。
【０１４０】
例えば、上記に示す実施形態においては、支持部が回動部の径方向外側に配置され、回動部が弾性変形可能に構成されているが、本発明はこれに限られない。支持部が回動部のよりも径方向外側に配置され、支持部が弾性変形可能に構成されていてもよい。あるいは、回動部が支持部の径方向外側に配置され、回動部が弾性変形可能に構成されていてもよい。さらには、回動部が支持部の径方向外側に配置され、支持部が弾性変形可能に構成されていてもよい。
【０１４１】
また、第二位置において、押さえ樹脂部材１３４０の内側突起部１３５１，１３５２と係合する支持金具１１４０の外側突起部をさらに設けてもよい。
【０１４２】
また、上記に示す実施形態においては、杆材の一例として車椅子２と点滴スタンド３とを連結するアタッチメント１０００を例に挙げて説明したが本発明はこれに限られない。基材に対して杆材が回動可能設けられた部材に適用可能である。
【０１４３】
また、上記に示す実施形態においては、アタッチメント１０００は車椅子２の左側に取り付けられているが、車椅子２の右側に取り付けられていてもよい。
【０１４４】
また、上記に示す実施形態においては、機器の一例として点滴スタンド３を例に挙げて説明したが、本発明はこれに限られない。例えば、機器として酸素ボンベや尿パック等が載置された什器を採用することもできる。
【符号の説明】
【０１４５】
１…医療設備システム
２…車椅子
３…点滴スタンド（機器）
２１…前車輪（車輪）
２２…後車輪（車輪）
３３Ａ…グリップ部
３１…ティッピングレバー（左側本体、右側本体）
３２…起立フレーム部（左側本体、右側本体）
３２Ａ…背面シート（着座部）
３４…座フレーム部（左側本体、右側本体）
３４Ａ…座シート（着座部）
３５…脚フレーム部（左側本体、右側本体）
３６…延出フレーム部（左側本体、右側本体）
３７…アームレスト（左側本体、右側本体）
３８…前フレーム部（左側本体、右側本体）
９０…脚ブロック
９１…脚フレーム
９４…支柱部
１０００…アタッチメント（車椅子用アタッチメント）
１１００…取付体（基材）
１１３１Ｚ…軸部
１１４０…支持金具（支持部）
１１５０…凹部（収容部）
１１５１Ｘ…軸挿通孔（挿通孔）
１１５６Ａ…第一係止壁部（第一当接面）
１１５６Ｂ…第二係止壁部（第二当接面）
１１６１，１１６２，１１６３，１１６４…外側突起部（第一係合部）
１３００…連結パイプ（杆材）
１３５１，１３５２…内側突起部（第二係合部）
１３４０…押さえ樹脂部材（回動部）
１４００…点滴スタンドクランプ（連結部）
１５００…ガイドフレーム
Ｏ…軸線
Ｓ１…後部空間
Ｕ…輸液パック（物品）
【図１】
0006485948.tif 000002
【図２】
0006485948.tif 000003
【図３】
0006485948.tif 000004
【図４】
0006485948.tif 000005
【図５】
0006485948.tif 000006
【図６】
0006485948.tif 000007
【図７】
0006485948.tif 000008
【図８】
0006485948.tif 000009
【図９】
0006485948.tif 000010
【図１０】
0006485948.tif 000011
【図１１】
0006485948.tif 000012
【図１２】
0006485948.tif 000013